(57)【要約】髪を切る切断配置（９）を有する散髪機器（１）に、切った髪が散髪機器から飛び散ることを防止する装置が設けられ、この配置は、境界壁（２２）を有し、この境界壁は、切断配置の近くまで延在し、また、固定部分（３４）と可動部分（３５）を有し、可動部分は、切られる髪と協働するためのものであり、且つ、切られる髪と協働するよう構成される。
2005530580.tif 000002
【特許請求の範囲】
【請求項１】
髪を切る切断配置と、
散髪機器から切られた髪が飛び散ることを防止する手段と、
を有し、
前記手段は、境界壁を有し、
前記境界壁は、前記切断配置の近くまで延在し、
前記境界壁は、固定部分と前記固定部分に対し可動である部分を有し、
前記可動部分は、切られる髪と協働するよう構成され且つ位置付けられる散髪機器。
【請求項２】
前記手段は、前記境界壁の前記可動部分と協働するバネ手段を有し、
前記バネ手段は、切られる髪の方向に前記可動部分に荷重をかけ、
前記可動部分は、切られる髪と協働するときに前記バネ手段により与えられる力に対抗して可動である請求項１記載の散髪機器。
【請求項３】
前記バネ手段は、前記可動部分の移動方向に対し実質的に横断するよう延在し、且つ、曲線状に延在するロッドタイプ又はリーフタイプのバネにより形成される請求項２記載の散髪機器。
【請求項４】
前記ロッドタイプ又はリーフタイプのバネにより与えられる弾力は、１０ｍＮ乃至５０ｍＮの範囲内である請求項３記載の散髪機器。
【請求項５】
切られた髪を吸引する吸引配置が設けられ、
前記吸引配置は、路壁により画成される吸引路を有し、
前記路壁の少なくとも一部は、前記吸引配置の近くまで延在し、前記切断配置の付近に位置付けられる前記路壁の少なくとも一部の端部は、吸引開口を画成し、
空気は、前記吸引開口を通り、吸引方向において、所与の流速で、前記吸引路内に吸引されることが可能であり、
１つの路壁は、前記固定部分及び前記可動部分を有する前記境界壁によって形成される請求項１記載の散髪機器。
【請求項６】
前記吸引配置は、前記吸引開口の領域における流速を変化させる変化手段を有し、
前記変化手段は、前記境界壁の前記可動部分によって形成される請求項５記載の散髪機器。
【発明の詳細な説明】
【技術分野】
【０００１】
本発明は、髪を切る切断配置と、散髪機器から髪が飛び散ることを防止する手段を有する散髪機器に係る。
【背景技術】
【０００２】
第１段落に記載したような種類の散髪機器は、市場に出されており、従って既知である。このような種類の散髪機器に関して、特許ＪＰ２００１−１９０８７１Ａを参照されたい。このような種類の散髪機器の公知の設計では、髪が飛び散ることを防止する手段は、吸引配置によって形成され、この配置は、切断配置に近い場所まで延在し、吸引開口として終端する吸引路を有する。空気は、この吸引開口を通り、所与の流速で吸引方向において吸引路内に吸い込まれることが可能である。この設計の意図は、切った髪が生成される気流によって飛び散ることを防止することである。この公知の設計では、公称数字に予め設定された１つの固定流速のみが、吸引配置の吸引開口の領域で得られる。残念ながら、公知の設計では、様々な髪の特徴、様々な髪密度、及び様々な髪の長さでは、髪が飛び散ることを防止する観点では得られる結果はしばしば満足のゆくものではない。これは、残念ながら、多くの髪のタイプと状態に応じて、散髪機器から大量の髪が飛び散り、環境を汚してしまうことを意味する。
【発明の開示】
【発明が解決しようとする課題】
【０００３】
本発明は、上述した問題を解決し、改良された散髪機器を生成することを目的とする。
【課題を解決するための手段】
【０００４】
上述した目的を達成するために、本発明の特徴が、本発明に応じて散髪機器に与えられ、それにより、本発明の散髪機器は、以下に示すように特徴付けられることが可能である。即ち、髪を切る切断配置と、散髪機器から切られた髪が飛び散ることを防止する手段を有し、この手段は、境界壁を有し、この境界壁は、切断配置の近くまで延在し、また、固定部分と固定部分に対し可動である部分を有し、可動部分は、切られる髪と協働するよう構成され且つ位置付けられる。
【０００５】
本発明のこの特徴を与えることによって、比較的容易且つ空間を節約する方法で、また、非常に少ない追加費用と複雑さで、本発明の散髪機器から髪が飛び散ることが改良された方法で防止される有用な可能な方法を提供する。というのは、境界壁の可動部分と、可動部分と協働する切られる髪により非常に効果的に髪が飛び散ることを防止する一種の保護シールドが形成されるからである。
【０００６】
本発明の散髪機器では、可動部分の動作は、例えば、可動部分に作用するボタンをスライドすることによって、手により行うことが可能である。しかし、請求項２に記載する特徴も与えられるならば特に有利であることが証明されている。これにより、髪が飛び散ることを防止する手段が、切られる髪に応じて自動的に動かされ且つ調節されることが可能となる。
【０００７】
前段落に記載する本発明の散髪機器では、請求項３に記載する特徴も与えられるならば特に有利であることが証明されている。このようにすると、動作において特に安全で且つ信頼度があり、空間を節約し、動作するのが容易である実施例を得ることができる。
【０００８】
ロッドバネにより与えられる弾力に関して、本発明の散髪機器に、請求項４に記載する特徴も与えられたのならば特に有利であることが分かっている。ロッドバネによって、髪によって境界壁の可動及び調節可能部分に加えられることの可能な調節力に対し有利である対抗力が得られる。
【０００９】
本発明の散髪機器では、請求項５に記載する特徴も与えられたのならば非常に有利であることが更に証明されている。このようにすると、髪が飛び散ることを防止する境界壁の可動及び調節可能部分により形成される手段の動作に対する追加の支持が、切られた髪を吸い上げる吸引配置によって与えられる。この吸引配置も、切られた髪が飛び散ることを防止する手段の一部としてみなされる。
【００１０】
前段落に記載する本発明の散髪機器では、請求項６に記載する特徴も与えられたのならば特に有利であることが証明されている。このようにして達成されることは、境界壁の調節可能部分が２つの機能を行うことである。
【発明を実施するための最良の形態】
【００１１】
本発明の上述の及び他の面は、以下に説明する実施例から明らかとなり且つ実施例を参照して説明する。
【００１２】
図１は、散髪機器１を示す。散髪機器１は、上部筐体部３、下部筐体部４、及び前方筐体部５を有する筐体２を有する。この前方筐体部５と２つの他の筐体部３及び４との間には、調節リング６が設けられ、この調節リング６を回すことによって、図１には示さないが図２に示す散髪機器の櫛７を、散髪機器１の長手方向と平行に調節することが可能であり、このこと自体は知られている。この点について、特許文書ＥＰ０３２５３２６Ｂ１を参照されたい。この開示内容は、この参照によって本願に含まれているものと考える。上部筐体部３と下部筐体部４内には、それらの略中心領域において、通り孔８が設けられ、空気は、その通り孔８を通り、筐体２の内側から流出することが可能である。
【００１３】
調節リング６から離れている筐体の前方部分５の端部において、散髪機器１には、切断配置９が取付けられる。切断配置９は、髪を切るためのものであり且つ髪を切るよう構成される。切断配置９は、２つの歯付きカッターブレード１０及び１１を有し、第１の歯付きカッターブレード１０は、歯付き切断配置９のキャリア１２上に固定して保持され、第２の歯付きカッターブレード１１は、第１の歯付きカッターブレード１０に対して往復で可動であるよう案内され、また、往復で駆動可能であり、このことは長い間知られている。
【００１４】
散髪機器１は、第１の駆動シャフト１４と第２の駆動シャフト１５を有するモータ１３を有する。第１の駆動シャフト１４との回転に対して固定されるよう第１の駆動シャフト１４上には、カム構成１６が位置付けられる。カム構成１６は、第２の歯付きカッターブレード１１がカム構成１６によって往復で駆動可能であるよう第２の歯付きカッターブレード１１に結合される。
【００１５】
散髪機器１は更に、吸引配置１７が取付けられる。吸引配置１７は、切った髪を吸い上げるためのものであり、また、切った髪を吸い上げるよう設計される。吸引配置１７は、回転するよう駆動可能であり、第２の駆動シャフト１５との回転に対して固定されるよう第２の駆動シャフト１５上に取付けられ、更に、空気バッフル部材１９によって追加支持が与えられるファン１８を有する。しかし、ファン１８は、駆動シャフト１５だけによって回転するよう取付けられてもよく、その場合、空気バッフル部材１９は、２つの機能を行わないことになる。図４及び５に矢印２０により示す気流は、散髪機器１においてファン１８によって生成可能である。この気流は、空気バッフル部材１９によって、通り孔８に向けてそらされる。吸引配置１７は吸引路２１を有し、この吸引路２１は、吸引路壁２２、２３、２４、２５、２６、２７、２８、及び２９によって境界付けられる。これらの路壁のうち、一部の路壁、即ち、路壁２２、２４、２６、及び２８は、切断配置９に近い場所、即ち、切断配置９の２つの歯付きカッターブレード１０及び１１の近くの場所まで延在する。切断配置９の近く、即ち、歯付きカッターブレード１０及び１１の近くに位置付けられる路壁の端部において、４つの境界壁２２、２４、２６、及び２８は、吸引開口３０を画成する。空気は、吸引開口３０を通り、矢印３１によって示す方向に、有利なように変更可能な流速で、吸引路２１内に引き込まれることが可能である。吸引路２１には、切った髪を収集するためのものであり且つ切った髪を収集するよう構成される収集コンテナ３２が接続される。収集コンテナ３２には、図５及び６に概略的に示すフィルタ３３が設けられる。フィルタ３３によって、気流から切った髪が分けられ、それにより、収集コンテナ３２の下流には、切った髪は、通り孔８から出る気流にはない。
【００１６】
散髪機器１では、散髪機器１の境界壁２２も形成する第１の路壁２２は、単一の固定壁により形成されるだけでなく、第１の路壁２２の設計は、第１の路壁２２が、固定部３４と、可動で、従って、固定部分３４と全ての路壁２３乃至２９に対して調節可能な部分３５を有するよう有利になされる。この場合、行われる調節は、直線であり、この直線は、吸引方向３１と平行に行われる。しかし、路壁３５は、僅かに湾曲され、その湾曲の形状に応じて調節可能なように案内されるよう構成されてもよい。可動及び調節可能な部分３５は、その自由端で、吸引開口３０を画成する。散髪機器１において、路壁２２の可動及び調節可能な部分３５は、変化手段３６の一部を形成する。変化手段３６は、吸引開口３０の領域において気流の流速を変化することを可能にするために設けられる。変化手段３６は、路壁２２の可動及び調節可能部分３５と、路壁２２の調節可能部分３５と協働するバネ手段３７を有し、これは、図６に示す。バネ手段３７は、路壁２２の調節可能部分３５に吸引方向３１とは反対の方向に荷重をかけ、調節可能部分３５を開始位置に保持しようとする。図７に非常に概略的に示すように、路壁２２の調節可能部分３５は、切る髪と協働するためのものであり且つ切る髪と協働するよう構成される。路壁２２の調節可能部分３５が切られる髪と協働する間に、調節可能部分３５は、図７に示すように、バネ手段３７によって与えられる力の反対、即ち、吸引方向３１に調節可能である。ここでは、調節可能部分３５が調節される量は、髪の性質及び状況、即ち、髪密度、髪の長さ、髪の太さ、及び髪の剛性に依存する。図６に示すように、散髪機器１において、バネ手段３７は、吸引方向３１に対して実質的に横断するよう延在し、曲線状に延在し、横路壁２８の領域において定位置に固定されるロッド状のバネ３７の形にあり、バネ手段の曲げられた自由端は、部分３５から突出するストリップ３８と協働する。しかし、バネ手段３７は、リーフ状であってもよい。バネ３７により与えられる弾力は、公称で約４０ｍＮである。バネ３７により与えられる弾力は、１０ｍＮ乃至５０ｍＮ内の範囲にあってもよい。
【００１７】
バネ３７に関して、バネ３７は、調節可能部分３５がその開始位置にあると、いわゆる曲がった放物線に応じて形付けられるいわゆる曲げバネの形であることに言及すべきである。調節可能部分３５がその開始位置から最大限に調節されると、バネ３７は、略直線に延在する形となるが、これは、図６には示さない。
【００１８】
散髪機器１では、路壁２２の調節可能部分３５は、更に、切った髪が散髪機器１から飛び散ることを防止する手段の一部である。この手段は、散髪器具１の境界壁２２も形成する第１の路壁２２を有する。切った髪が散髪機器１から飛び散ることを防止する手段は、調節可能部分３５を有する路壁２２に加えて、バネ手段３７と、路壁２２の固定部分３４と、他の路壁２４、２６、及び２８も有する。
【００１９】
路壁２２の調節可能部分３５によって達成されることは、吸引開口３０の領域における気流の流速が、そのときの特定の髪の性質及び状況に容易に且つ自動的に合わされ、吸引開口３０は、そのとき、即ち、例えば、所定量の髪が供給されたときの髪の性質及び状況に依存して可能な限り小さく維持され、その結果、常に、最大の流速が達成される。このことは、そのときの特定の髪の性質及び状況に対して調節され、従って良好である吸引が生成される。
【００２０】
開始状態において、路壁２２の調節可能部分３５は、バネ３７によって、図３乃至６に示す開始位置に保持される。ここでは、バネ３７により与えられる弾力は、全ての状況において、調節可能部分３５の重量とバランスをとるよう有利に十分に大きい。バネ３７により与えられる力は、ここでは、散髪機器１がどの姿勢にあっても調節可能部分３５がその開始位置に戻ることができるよう大きい。その一方で、バネ３７により与えられる力は、調節可能部分３５に比較的少ない髪が協働する場合でも、調節可能部分３５が依然としてバネ３７の力に対抗するよう調節可能であるよう僅かに大きい。図７に示すように、調節可能部分３５は、切られる髪によって吸引方向３１に調節され、このことは、吸引開口のサイズが、そのときの髪の性質及び状態に対して最適な方法で調節されることを確実にする。
【００２１】
路壁２２の調節可能部分３５と、路壁２２の固定部分３４と、路壁２４、２６、及び２８によって散髪機器１において達成されることは、切った髪が散髪機器１から飛び出ることが特に良好且つ効果的な方法で防止されることである。このことは、実質的に着られた髪は全部吸引路２１に入り、図７に示すように、吸引配置１７によって引き上げられることを意味する。
【図面の簡単な説明】
【００２２】
【図１】本発明の散髪機器の実施例を示す上からの斜視図である。
【図２】図１の散髪機器の重要な構成要素を示す分解図である。
【図３】図１の散髪機器の一部を示す断面図である。
【図４】図３と同様に、図３と同様の散髪機器の一部を示すが、更に、散髪機器において生成可能な気流も示す図である。
【図５】図３及び４の散髪機器の一部を概略的に示す図４に対して拡大された図である。
【図６】図３乃至６に示す散髪機器の一部を図５の矢印ＶＩＩから見た図である。
【図７】図１乃至６の散髪機器と協働する切られる髪を完全に概略的に示す図である。
【図１】
2005530580.tif 000003
【図２】
2005530580.tif 000004
【図３】
2005530580.tif 000005
【図４】
2005530580.tif 000006
【図５】
2005530580.tif 000007
【図６】
2005530580.tif 000008
【図７】
2005530580.tif 000009
【国際調査報告】
2005530580.tif 000010
2005530580.tif 000011